(57)【特許請求の範囲】
【請求項１】
ベース部材に取り付けられて第１回転軸を中心に回転し、第１始端位置と第１終端位置との間を移動可能な第１演出部材と、前記ベース部材に取り付けられて前記第１回転軸と平行な第２回転軸を中心に回転し、第２始端位置と第２終端位置との間を移動可能な第２演出部材とを、前記ベース部材に取り付けられた１つの駆動源で駆動して演出を行う遊技機であって、
前記第１演出部材と前記第２演出部材との何れか一方に設けられたガイド部と、他方に設けられて前記ガイド部に当接して移動する当接部とを備え、前記駆動源から前記第１演出部材に伝達された動力が、前記当接部を介して前記第１演出部材から前記第２演出部材に伝達されるように構成され、
前記ガイド部には、
前記第２演出部材が前記第２始端位置に位置した状態で前記第１演出部材の移動方向と異なる方向に延びた直線状又は曲線状をなし、前記第１演出部材が前記第１始端位置からその第１始端位置と前記第１終端位置との途中位置へと移動する間に前記当接部が当接しながら移動して、前記第２演出部材を前記第２始端位置から前記第２終端位置まで移動させる第１区間と、
前記第２演出部材が前記第２終端位置に位置した状態で前記第１演出部材の移動方向に延びた円弧状をなしかつ前記第１区間に連続し、前記第１演出部材が前記途中位置から前記第１終端位置まで移動する間に前記当接部が当接しながら移動して、前記第２演出部材を前記第２終端位置に保持する第２区間とが備えられたことを特徴とする遊技機。
【請求項２】
前記第１演出部材の回動中心と前記当接部とを結ぶ第１直線と、前記第２演出部材の回動中心と前記当接部とを結ぶ第２直線との交差角度は、前記当接部が前記ガイド部のうち前記第２区間を移動した際に略直角になり、前記当接部が前記ガイド部の第２区間側の端部に向かうに従って鋭角側に変化するように構成されたことを特徴とする請求項１に記載の遊技機。
【請求項３】
前記ガイド部は、前記第１演出部材又は前記第２演出部材に備えた板部材に長孔を形成してなり、前記当接部は、前記第１演出部材又は前記第２演出部材に固定され、前記長孔に係合したピン構造をなしていることを特徴とする請求項１又は２に記載の遊技機。
【請求項４】
前記当接部の軸方向における２位置から側方に張り出し、前記長孔の縁部を前記板部材の板厚方向で挟持した１対のフランジを備えたことを特徴とする請求項３に記載の遊技機。
【発明の詳細な説明】
【技術分野】
【０００１】
本発明は、駆動源により複数の演出部材に異なる動作を行わせて、遊技を演出する遊技機に関する。
【背景技術】
【０００２】
従来、この種の遊技機として、第１の駆動源にて第１の演出部材を駆動すると共に、第２の駆動源にて第２の演出部材を駆動して、それら第１と第２の演出部材に異なる動作を行わせるものが知られている（例えば、特許文献１参照）。
【先行技術文献】
【特許文献】
【０００３】
【特許文献１】特開２００７−３７７２９号公報（図５，図７）
【発明の概要】
【発明が解決しようとする課題】
【０００４】
しかしながら、上記した従来の遊技機では、演出部材の数だけ駆動源を設けていたので、駆動源に係る費用が高くなっていた。
【０００５】
本発明は、上記事情に鑑みてなされたもので、駆動源の費用を従来より抑えることが可能な遊技機の提供を目的とする。
【課題を解決するための手段】
【０００６】
上記目的を達成するためになされた請求項１の発明に係る遊技機は、ベース部材に取り付けられて第１回転軸を中心に回転し、第１始端位置と第１終端位置との間を移動可能な第１演出部材と、ベース部材に取り付けられて第１回転軸と平行な第２回転軸を中心に回転し、第２始端位置と第２終端位置との間を移動可能な第２演出部材とを、ベース部材に取り付けられた１つの駆動源で駆動して演出を行う遊技機であって、第１演出部材と第２演出部材との何れか一方に設けられたガイド部と、他方に設けられてガイド部に当接して移動する当接部とを備え、駆動源から第１演出部材に伝達された動力が、当接部を介して第１演出部材から第２演出部材に伝達されるように構成され、ガイド部には、第２演出部材が第２始端位置に位置した状態で第１演出部材の移動方向と異なる方向に延びた直線状又は曲線状をなし、第１演出部材が第１始端位置からその第１始端位置と第１終端位置との途中位置へと移動する間に当接部が当接しながら移動して、第２演出部材を第２始端位置から第２終端位置まで移動させる第１区間と、第２演出部材が第２終端位置に位置した状態で第１演出部材の移動方向に延びた円弧状をなしかつ第１区間に連続し、第１演出部材が途中位置から第１終端位置まで移動する間に当接部が当接しながら移動して、第２演出部材を第２終端位置に保持する第２区間とが備えられたところに特徴を有する。
【０００９】
請求項２の発明は、請求項１に記載の遊技機において、第１演出部材の回動中心と当接部とを結ぶ第１直線と、第２演出部材の回動中心と当接部とを結ぶ第２直線との交差角度は、当接部がガイド部のうち第２区間を移動した際に略直角になり、当接部がガイド部の第２区間側の端部に向かうに従って鋭角側に変化するように構成されたところに特徴を有する。
【００１０】
請求項３の発明は、請求項１又は２に記載の遊技機において、ガイド部は、第１演出部材又は第２演出部材に備えた板部材に長孔を形成してなり、当接部は、第１演出部材又は第２演出部材に固定され、長孔に係合したピン構造をなしているところに特徴を有する
【００１１】
請求項４の発明は、請求項３に記載の遊技機において、当接部の軸方向における２位置から側方に張り出し、長孔の縁部を板部材の板厚方向で挟持した１対のフランジを備えたところに特徴を有する。
【発明の効果】
【００１２】
［請求項１の発明］
請求項１の遊技機では、ベース部材に第１回転軸を中心に回転する第１演出部材と第１回転軸と平行な第２回転軸を中心に回転する第２演出部材とが取り付けられ、第１演出部材と第２演出部材とを連動させるために、第１演出部材と第２演出部材との何れか一方にガイド部が設けられると共に、そのガイド部に当接して移動する当接部が第１演出部材と第２演出部材との他方に設けられている。これにより、第１演出部材から第２演出部材に動力が伝達可能になり、駆動源にて第１演出部材を駆動し、その駆動源の動力で第２演出部材も駆動することが可能になる。また、ガイド部が第２演出部材が第２始端位置に位置した状態で第１演出部材の移動方向と異なる方向に延びた直線状又は曲線状をなした第１区間と、第２演出部材が第２終端位置に位置した状態で第１演出部材の移動方向に延びた円弧状をなした第２区間とに分かれていて、第１演出部材が第１始端位置からその第１始端位置と第１終端位置との途中位置へと移動する間に当接部がガイド部の第１区間を移動することで、第２演出部材が第１演出部材に連動して動作する一方、第１演出部材が途中位置から第１終端位置まで移動する間に当接部がガイド部の第２区間を移動することで第１演出部材のみが動作し、第２演出部材を停止した状態に保持することができる。即ち、第１演出部材と第２演出部材の両方を連動させる演出と、第２演出部材を停止させて第１演出部材のみを動作させる演出とを１つの駆動源にて行うことができる。このように本発明によれば、第１と第２の演出部材の別々の動作を組み合わせた複雑な演出を１つの駆動源にて行うことができ、従来より駆動源の費用を抑えることができる。
【００１５】
［請求項２の発明］
請求項２の遊技機は、第１演出部材の回動中心と当接部とを結ぶ第１直線と、第２演出部材の回動中心と当接部とを結ぶ第２直線との交差角度が、当接部が、ガイド部のうち第２区間に位置した状態で略直角になる。これにより、第２演出部材の自重のうち第１演出部材の回動中心側を向く力の成分を第１演出部材で受けることができ、第２演出部材の自重による駆動源への負荷を軽減することができる。また、当接部が、第２区間における反対側の端部に向かうに従って鋭角側に変化するように構成されているので、この点においても、第２演出部材の自重による駆動源への負荷を軽減することができる。
【００１６】
［請求項３及び４の発明］
ガイド部を、当接部に対して一方からのみ当接する面を備えた構造としてもよいし、当接部に対して２方向から当接し得る溝構造や、長孔構造（請求項３参照）にしてもよい。また、ガイド部を溝構造や長孔構造とすることで、第１演出部材によって第２演出部材の第２始端位置から第２終端位置への回転と、その逆方向への回転とが規制され、第１演出部材に対する第２演出部材の追従性が高まる。また、請求項４の構成のように、ガイド部が長孔構造をなし、当接部を長孔に係合したピン構造にして、その当接部の軸方向における２位置から側方に張り出した１対のフランジで長孔の縁部を板部材の板厚方向で挟持した構造にすれば、第１演出部材に対する第２演出部材の回転軸方向への移動が規制され、第１演出部材に対する第２演出部材の追従性が高まる。
【図面の簡単な説明】
【００１７】
【図１】本発明の一実施形態に係るパチンコ遊技機の正面図
【図２】可動役物装置がメイン表示装置の前面側に配置された状態のパチンコ遊技機の正面図
【図３】可動役物装置の正面図
【図４】可動役物装置の正面図
【図５】可動役物装置の正面図
【図６】可動役物装置の正面図
【図７】可動役物装置の分解斜視図
【図８】第１、第２及び第３ベース部材の斜視図
【図９】ガイドレールの断面図
【図１０】第２実施形態における可動役物装置の正面図
【発明を実施するための形態】
【００１８】
［第１実施形態］
以下、本発明を適用したパチンコ遊技機１０に係る一実施形態を図１〜図９に基づいて説明する。なお、以下の説明において、遊技者がパチンコ遊技機１０と対向する方向を「前後方向」といい、パチンコ遊技機１０のうち遊技者と対向する面を「前面」、その反対側の面を「後面」ということとする。また、パチンコ遊技機１０を構成する各部位又は各部品の説明において「右側」とは、パチンコ遊技機１０の前面側からその各部位又は各部品を見た場合の右側をいい、その反対側を「左側」ということとする。
【００１９】
パチンコ遊技機１０の前面の中央部分にはガラス窓９５Ｗが設けられ、そのガラス窓９５Ｗを通して遊技領域Ｒ１が視認可能となっている。また、パチンコ遊技機１０の前面のうちガラス窓９５Ｗの上部及び両側部には装飾ランプ９７が設けられており、上端両角部にはスピーカ９８，９８が設けられている。これら装飾ランプ９７及び各スピーカ９８は、パチンコ遊技機１０の前面側に膨出している。
【００２０】
ガラス窓９５Ｗの下方には、上皿２６及び下皿２７が上下２段にして設けられている。これら上皿２６及び下皿２７は、スピーカ９８と同様にパチンコ遊技機１０の前方に膨出している。パチンコ遊技機１０の前面における右下角部には、操作ノブ２８が備えられている。この操作ノブ２８を操作すると、上皿２６に貯留された遊技球が、順次、遊技領域Ｒ１に向けて弾き出される。
【００２１】
遊技領域Ｒ１には、上方寄り位置にメイン表示装置１３が備えられると共に、そのメイン表示装置１３の下方に、第１の始動入賞口１４Ａ、第２の始動入賞口１４Ｂ、大入賞口１５及びアウト口１６が、上から順に並べて備えられている。また、遊技領域Ｒ１のうち第１及び第２の始動入賞口１４Ａ，１４Ｂの左側には、複数の一般入賞口２０が備えられ、メイン表示装置１３の右下にはサブ表示装置１９が備えられ、メイン表示装置１３の左側方には始動ゲート１８が備えられ、さらに、その下方には風車１７が備えられている。なお、遊技領域Ｒ１のうち第１及び第２の始動入賞口１４Ａ，１４Ｂの周りや、一般入賞口２０の上方位置からは、複数の釘が起立している。
【００２２】
メイン表示装置１３は、液晶モジュール（詳細には、ＴＦＴ−ＬＣＤモジュール）で構成され、遊技盤１１に貫通形成された表示孔１１Ａの奥部に配置されている。具体的には、遊技盤１１の後面側における表示孔１１Ａの開口縁には、図示しない支持枠部材が固定され、その支持枠部材の後端部にメイン表示装置１３が取り付けられて、メイン表示装置１３の液晶画面１３Ｇが表示孔１１Ａを通して前方に臨んでいる。そして、遊技盤１１の後面のうち表示孔１１Ａの左側開口縁とメイン表示装置１３との間に、後述する第１〜第３の演出部材５１，５２，５３（図２参照）が収納され、遊技の進行状況に応じて、図２に示すように、それら第１〜第３の演出部材５１，５２，５３が表示孔１１Ａの内側に出現して液晶画面１３Ｇの前側に重ねられた状態で遊技者に視認される。
【００２３】
遊技盤１１の前面における表示孔１１Ａの開口縁には、表示装飾枠２３が取り付けられ、その表示装飾枠２３により、表示孔１１Ａの上辺と両側辺から表示孔１１Ａ内に遊技球が進入することを規制している。また、表示装飾枠２３のうち遊技盤１１に前面側から重ねられた部分における左上部には、前記した釘の代わりとして複数の障害突部２３Ｂが備えられ、それら障害突部２３Ｂ群の下方には遊技球導入口２２が備えられている。そして、遊技球導入口２２に入球した遊技球が、表示装飾枠２３の下辺部分に備えた転動ステージ３５上を転動してから表示装飾枠２３の前側下方に落下するようになっている。
【００２４】
始動ゲート１８は、遊技球が潜って通過可能な門形構造をなし、通過した遊技球は、その始動ゲート１８に内蔵したゲートスイッチ（図示せず）によって検出される。この検出信号に基づいて当否判定が行われ、普通図柄表示部３８にて判定結果が表示される。
【００２５】
普通図柄表示部３８は風車１７の下方に配置され、例えば、左右に並んだ２つのＬＥＤランプで構成されており、これらの点灯態様で当否の判定結果を表示する。例えば、当たりの場合には一方のＬＥＤランプのみが点灯し、外れの場合には他方のＬＥＤランプのみが点灯する。
【００２６】
普通図柄表示部３８は、始動ゲート１８を遊技球が通過すると、例えば、所定期間に亘って左右のＬＥＤランプを交互に点滅させた後、一方のみを点灯させた状態で停止する。このとき、当たりを意味するＬＥＤランプのみが点灯した場合には、第２の始動入賞口１４Ｂが開放状態になって、遊技球が入賞し易い状態になる。また、普通図柄表示部３８が点滅表示している間に始動ゲート１８を通過した遊技球は、所定数まで累積カウントされる。この累積カウント数（保留数）は、普通図柄表示部３８の上方に設けられた普通部柄保留数用ＬＥＤ３９の点灯数によって遊技者に報知される。
【００２７】
第１及び第２の始動入賞口１４Ａ，１４Ｂは、所謂、ポケット構造をなして上方に向かって開口している。上側に配置された第１の始動入賞口１４Ａの上面開口は遊技球を１つずつ受け入れ可能な大きさになっている。下側に配置された第２の始動入賞口１４Ｂは、第１の始動入賞口１４Ａの真下に配置されている。第２の始動入賞口１４Ｂの開口幅も、遊技球を１つずつ受け入れ可能な大きさになっている。第２の始動入賞口１４Ｂの上面開口の左右両側には可動翼１４Ｃ，１４Ｃが備えられている。これら両可動翼１４Ｃ，１４Ｃは、常には起立状態になっている。この起立状態では、第２の始動入賞口１４Ｂへの遊技球の入賞が禁止される。
【００２８】
これに対し、始動ゲート１８への入賞による当否判定結果が当たりになると（普通図柄表示部３８で当たりを意味するＬＥＤランプのみが点灯すると）、第２の始動入賞口１４Ｂが開放状態となる。即ち、第２の始動入賞口１４Ｂに備えた可動翼１４Ｃ，１４Ｃが所定期間（例えば、０．５秒間）に亘って左右に倒れる。可動翼１４Ｃ，１４Ｃが左右に倒れると、その倒れた可動翼１４Ｃ，１４Ｃに案内されて遊技球が第２の始動入賞口１４Ｂに入賞可能となる。
【００２９】
第１と第２の始動入賞口１４Ａ，１４Ｂの何れかに遊技球が入賞すると、各始動入賞口１４Ａ，１４Ｂ内に設けたセンサがその遊技球を検出し、その検出信号に基づいて、予め定められた所定数の遊技球（賞球）が上皿２６に払い出される。また、各始動入賞口１４Ａ，１４Ｂに遊技球が入賞すると、「大当たり遊技」を行うか否かを決定する当否判定の権利が発生し、その当否判定結果が液晶画面１３Ｇに表示される。
【００３０】
具体的には、液晶画面１３Ｇには、通常、３つの左、中、右の特別図柄１３Ａ，１３Ｂ，１３Ｃが横並びに表示されている（図１参照）。これら各特別図柄は、例えば、「０」〜「９」の数字を表記した複数種類のもので構成されており、通常は、各特別図柄１３Ａ，１３Ｂ，１３Ｃごと、所定の種類のものが停止表示されている。そして、両始動入賞口１４Ａ，１４Ｂの何れかに遊技球が入賞したときに、これら３つの特別図柄１３Ａ，１３Ｂ，１３Ｃが、変動表示（上下方向にスクロール表示）され、所定時間後に、例えば、左、中、右の順で各特別図柄１３Ａ，１３Ｂ，１３Ｃが停止表示される。このとき、例えば、全ての特別図柄１３Ａ，１３Ｂ，１３Ｃが同じ図柄、即ち、ゾロ目になった場合（図１に示す状態）に、遊技が通常の状態から大当たり遊技状態に移行する。
【００３１】
また、各特別図柄１３Ａ，１３Ｂ，１３Ｃが、変動表示後、左、右、中の順で各特別図柄１３Ａ，１３Ｂ，１３Ｃを停止する際に、左、右の各特別図柄１３Ａ，１３Ｃが同じ図柄になって先に停止した状態で、中特別図柄１３Ｂが変動表示されたリーチ状態になる場合がある。リーチ状態になると、液晶画面１３Ｇには所定のリーチ演出画像（例えば、キャラクタ画像）が表示される。なお、リーチ状態とは、「可変表示部の特別図柄が可変開始された後、図柄制御が進行して表示結果が停止表示される前段階において、特定の表示態様大当りの組み合わせが表示されやすい可変表示態様となったと遊技者に思わせるための表示状態」であれば、上記のように例示した、左、右の各特別図柄１３Ａ，１３Ｃが同じ図柄のものに限定されない。
【００３２】
ここで、液晶画面１３Ｇにて特別図柄１３Ａ，１３Ｂ，１３Ｃが変動表示している最中又は「大当たり遊技」の最中に各始動入賞口１４Ａ，１４Ｂに入賞した遊技球の数は、所定の限度数まで累積カウント（保留）され、特別図柄１３Ａ，１３Ｂ，１３Ｃが外れの図柄組み合わせで停止表示又は「大当たり遊技」が終了すると、その保留記憶に基づいて再び、特別図柄１３Ａ，１３Ｂ，１３Ｃの変動表示が開始される。なお、累積カウント数（保留数）は、特別図柄保留数用ＬＥＤ３７の点灯数によって遊技者に報知される。保留数用ＬＥＤ３７等と共に特別図柄表示部３６は、液晶画面１３Ｇで表示される特別図柄１３Ａ，１３Ｂ，１３Ｃと連動して、複数のＬＥＤの点灯パターンによって判定結果が表示される。
【００３３】
大入賞口１５は、遊技盤１１の前面に開放して横長形状をなしており、常には、可動扉１５Ｔにて閉塞されている。そして、上記したように特別図柄１３Ａ，１３Ｂ，１３Ｃがゾロ目で停止表示した場合に、可動扉１５Ｔが前側に倒れて大入賞口１５が開放し（図１に示す状態）、可動扉１５Ｔをガイドにして大入賞口１５に遊技球が入賞可能になる。大入賞口１５に遊技球が入賞すると予め定められた所定数の遊技球（賞球）が上皿２６に払い出される。
【００３４】
ここで、可動扉１５Ｔが開放してから閉じるまでの間を「ラウンド」と称すると、１つのラウンドは、可動扉１５Ｔの開放時間が３０秒に達したか、又は、大入賞口１５に遊技球が１０個入賞したか、の何れかの終了条件が先に満たされた場合に終了する。また、「大当たり遊技」は、最大で、例えば１５ラウンドまで継続される。
【００３５】
さて、図３には、上記した第１、第２及び第３の演出部材５１，５２，５３を回動させた遊技演出を行うための可動役物装置４０の全体が示されている。この可動役物装置４０には、上下方向に延びた帯板部材４６の前面上端部に上側ベース４４を固定しかつその帯板部材４６の前面下端部に下側ベース４２を固定した構造のベース連結体４１が備えられている。そして、第１、第２及び第３の演出部材５１，５２，５３は、何れも端部に回動中心を備えたレバー構造をなして、下側ベース４２に第１及び第３の演出部材５１，５３が回動可能に支持され、上側ベース４４に第２の演出部材５２が回動可能に支持されている。
【００３６】
具体的には、下側ベース４２は、前後方向に扁平になっていて、内部に部品収容空間４３を備えている。また、下側ベース４２には、右側方に張り出した回動支持突部４２Ｃが備えられている。さらに、回動支持突部４２Ｃの側面（右側を向いた面）の略全体には、部品収容空間４３を側方に開放する開口４３Ｋが形成されている。また、下側ベース４２における上端寄り位置には、第１回転軸体５１Ｊ（図７参照）が前後方向に貫通していて部品収容空間４３を前後に横切り、下側ベース４２における下端寄り位置には、第３演出部材５３を支持するための第３回転軸体５３Ｊ（図７参照）が前後方向に貫通していて部品収容空間４３を前後に横切っている。
【００３７】
なお、下側ベース４２は、後述する第１〜第３の中継歯車７０Ａ，７０Ｂ，７０Ｃ等を内部に組み付け可能とするために、図７に示すように前後方向でベース前側構成体４２Ａとベース後側構成体４２Ｂとに２分割可能になっている。
【００３８】
第１演出部材５１は、図６に示した第１回動本体部材５１Ｂの前面に、図３に示した第１装飾部材５１Ｋを組み付けてなる。第１回動本体部材５１Ｂは、図８に示すように、全体が異形の板状をなし、その一部が扇形突壁５１Ｃになっている。また、扇形突壁５１Ｃにおける円弧状の外縁部には、ギヤ部５１Ｇが形成され、その円弧状のギヤ部５１Ｇの中心、即ち、扇形突壁５１Ｃの要部分に回動中心孔５１Ｈが貫通形成されている。そして、第１回動本体部材５１Ｂのうち扇形突壁５１Ｃを含んだ一部が部品収容空間４３内に配置されて第１回転軸体５１Ｊが回動中心孔５１Ｈを貫通し、これにより、第１演出部材５１が下側ベース４２に回動可能に支持されている。
【００３９】
なお、図８に示すように回動中心孔５１Ｈには、前後の両方からブッシュ９１，９１が取り付けられている。それらブッシュ９１，９１は、摺動抵抗が小さい樹脂で構成されて、回動中心孔５１Ｈ内に挿入可能な筒体９１Ｔの一端から側方にフランジ９１Ｆを張り出した構造をなし、筒体９１Ｔを回動中心孔５１Ｈ内に嵌合しかつフランジ９１Ｆを回動中心孔５１Ｈの開口縁に当接させた状態にして第１演出部材５１に取り付けられている。
【００４０】
第１演出部材５１全体は、回動中心孔５１Ｈの左側にギヤ部５１Ｇが位置した状態で横に倒れた横臥姿勢になる。その横臥姿勢の第１回動本体部材５１Ｂのうち部品収容空間４３内に配置されかつギヤ部５１Ｇの下端部近傍に位置する部分には、前方に向かって突出したサブ連結軸体５１Ｔが設けられている。また、横臥姿勢の第１回動本体部材５１Ｂのうち下側ベース４２外に位置する上縁部のうち回動中心孔５１Ｈを挟んでギヤ部５１Ｇと反対側の端部寄り位置には、メイン連結軸体９０Ａがサブ連結軸体５１Ｔより大きく前方に突出している。
【００４１】
第１装飾部材５１Ｋは、例えば、透光部材の一部を光沢を有した塗料で装飾してなり、第１回動本体部材５１Ｂのうち下側ベース４２外に位置した部分の前面に重ねて取り付けられている。そして、前記したメイン連結軸体９０Ａが第１装飾部材５１Ｋを後方から貫通して、その第１装飾部材５１Ｋの前面から前方に突出している。なお、第１装飾部材５１Ｋと第１回動本体部材５１Ｂとの間には、図示しない電飾基板が収容されていて、その電飾基板上の発光素子の光が第１装飾部材５１Ｋを通して遊技者側から視認可能になっている。
【００４２】
第３演出部材５３は、第１演出部材５１と同様に、図６に示した第３回動本体部材５３Ｂの前面に、図３に示した第３装飾部材５３Ｋを組み付けてなる。第３装飾部材５３Ｋは、第１装飾部材５１Ｋと同様に、例えば、透光部材の一部を光沢を有した塗料で装飾してなり、第３装飾部材５３Ｋの内側には、図示しない電飾基板が収容されている。また、第３回動本体部材５３Ｂは、図８に示すように、全体が異形の板状をなし、その一部が連結アーム５３Ｔになって側方に突出している。さらに、第３演出部材５３のうち連結アーム５３Ｔの基端部の近傍には、前後方向に回動中心孔５３Ｈが貫通している。そして、第３回動本体部材５３Ｂのうち連結アーム５３Ｔを含んだ一部が部品収容空間４３内に配置されて第３回転軸体５３Ｊが回動中心孔５３Ｈを貫通し、これにより、第３演出部材５３が下側ベース４２に回動可能に支持されている。
【００４３】
図８に示すように、連結アーム５３Ｔには、サブ係合長孔５３Ｎが前後に貫通するように形成されている。そのサブ係合長孔５３Ｎは、連結アーム５３Ｔの先端部から基端寄り位置に亘って延びている。そして、サブ連結軸体５１Ｔに前記したブッシュ９１が嵌合装着されサブガイドフォロア９６が構成され、そのサブガイドフォロア９６を構成するブッシュ９１の筒体９１Ｔがサブ係合長孔５３Ｎ内に嵌合されている。これにより、第１演出部材５１と第３演出部材５３とが連動回転する。詳細には、第３演出部材５３全体は、回動中心孔５３Ｈの左側で連結アーム５３Ｔが斜め左上方に向かって突出した状態で横に倒れた横臥姿勢になる。そして、図６に示すように、第１演出部材５１が横臥姿勢になったときにサブ係合長孔５３Ｎのうち連結アーム５３Ｔの先端側の端部にサブガイドフォロア９６が位置して第３演出部材５３も横臥姿勢になる。また、そこから第１演出部材５１を起立させていくと、サブ係合長孔５３Ｎ内をサブガイドフォロア９６が連結アーム５３Ｔの基端側に移動した後、先端側に移動して第３演出部材５３が下方に回動し、図４に示すように、サブ係合長孔５３Ｎのうち連結アーム５３Ｔの先端側の端部にサブガイドフォロア９６が到達して、第１演出部材５１が回動中心孔５１Ｈから上方に起立した起立姿勢になると共に、第３演出部材５３が回動中心孔５３Ｈから右斜め下方に延びた傾斜姿勢になる。
【００４４】
サブ連結軸体５１Ｔは、図８に示すように、連結アーム５３Ｔを貫通して前方に突出し、その突出した部分にもブッシュ９１が装着され、そのブッシュ９１もサブガイドフォロア９６の一部になっている。また、そのサブガイドフォロア９６における先端側のブッシュ９１が、フランジ９１Ｆを連結アーム５３Ｔに宛った状態にされて、筒体９１Ｔが下側ベース４２の内面に形成された係合溝４２Ｍ（図７参照）に受容されている。そして、第１演出部材５１が反時計回りに回動する動力を受けると、サブガイドフォロア９６が係合溝４２Ｍの一端部に当接し、これにより、第１演出部材５１が、その可動範囲における一端側の本発明に係る第１始端位置に位置決めされて起立姿勢になる。一方、第１演出部材５１が時計回りに回動する動力を受けると、サブガイドフォロア９６が係合溝４２Ｍの他端部に当接し、これにより、第１演出部材５１が、その可動範囲における他端側の本発明に係る第１終端位置に位置決めされて横臥姿勢になる。
【００４５】
下側ベース４２の前面下端寄り位置には、第１演出部材５１を駆動するための駆動源６０Ｓが取り付けられている。駆動源６０Ｓは、モータ６０の一端面に減速機６０Ｇを固定してなり、その減速機６０Ｇから突出した動力出力軸が下側ベース４２に備えた貫通孔４２Ｈを通して部品収容空間４３内に突入している。また、図６に示すように、部品収容空間４３内の動力出力軸に第１中継歯車７０Ａが一体回転可能に固定されている。そして、部品収容空間４３内の第１中継歯車７０Ａがその上方に設けられた第２中継歯車７０Ｂに噛合し、その第２中継歯車７０Ｂがその上方に設けられた第３中継歯車７０Ｃに噛合し、さらに、その第３中継歯車７０Ｃが前記した第１演出部材５１のギヤ部５１Ｇに噛合している。また、第２と第３の第２中継歯車７０Ｂ，７０Ｃは、下側ベース４２を前後に貫通したギヤ支持軸体７２Ｊ，７３Ｊにて回転可能に支持されている。これにより、駆動源６０Ｓの動力によって第１と第３の演出部材５１，５３が回転駆動される。
【００４６】
また、下側ベース４２の前面上端寄り位置には、図７に示すようにモータ６０に電気接続された回路基板６３が設けられ、その下方には位置決ガイド４２Ｇが前方に突出形成されている。そして、下側ベース４２の前面側から位置決ガイド４２Ｇに沿って回路基板６３を保護するためのカバー壁４１Ｋが取り付けられている。
【００４７】
上側ベース４４は、下側ベース４２より帯板部材４６から前方に大きく突出した台座部４４Ｂにフード部材４４Ａを取り付けた構造をなしている。そのフード部材４４Ａは、台座部４４Ｂの前端面の右側外縁部と上側外縁部とに突き当てられた側壁４４Ｃと、側壁４４Ｃの前端部に直交して台座部４４Ｂの前面と対向した前面カバー壁４４Ｄとを有し、前面カバー壁４４Ｄと台座部４４Ｂとに挟まれた空間４５が上側ベース４４の下方と右側方とに開放している。また、台座部４４Ｂの前面から前方に第２回転軸体５２Ｊが片持ち梁状に突出し、その前端部が前面カバー壁４４Ｄに形成された貫通孔４４Ｅ内に受容されている。
【００４８】
第２演出部材５２は、第１及び第３の演出部材５１，５３と同様に、図６に示した第２回動本体部材５２Ｂ（本発明の「板部材」に相当する）の前面に、図３に示した第２装飾部材５２Ｋを組み付けてなる。第２装飾部材５２Ｋは、第１装飾部材５１Ｋと同様に、例えば、透光部材の一部を光沢を有した塗料で装飾してなり、第２装飾部材５２Ｋの内側には、図示しない電飾基板が収容されている。また、第２回動本体部材５２Ｂは、図８に示すように、全体が細長く延びた異形の板状をなし、その一端部に回動中心孔５２Ｈが貫通形成されている。そして、回動中心孔５２Ｈの一端部が台座部４４Ｂと前面カバー壁４４Ｄとの間に配置されて、そこで第２回転軸体５２Ｊが回動中心孔５２Ｈを貫通している。これにより、第２演出部材５２が上側ベース４４に回動可能に支持され、第２演出部材５２の全体が第２回転軸体５２Ｊの鉛直下方に垂れた垂下姿勢と、その垂下姿勢から右上方に回動し、第２演出部材５２の全体が第２回転軸体５２Ｊの斜め下方に延びた傾斜姿勢との間で姿勢が変更されるように回動する。また、第２演出部材５２は、第１及び第３の演出部材５１，５３より前方のずれた領域で回動する。
【００４９】
なお、第２演出部材５２のうち回動中心孔５２Ｈを通過して前方に突出した部分には、樹脂ワッシャ９２が挿通され、さらに、第２回転軸体５２Ｊのうち樹脂ワッシャ９２より前方に突出した部分には、後述する係止溝９０Ｍと同形状の係止溝が形成されて、その係止溝にＥリング９３が装着されている。また、第２回動本体部材５２Ｂとフード部材４４Ａとの間には、第２演出部材５２を反時計回りに付勢する図示しないトーションバネが装着されている。
【００５０】
図４に示すように、第２回動本体部材５２Ｂには、第２演出部材５２が垂下姿勢になって左側に位置する側縁部に沿って本発明に係る「ガイド部」としてのガイドレール８０が設けられている。ガイドレール８０は、第２回動本体部材５２Ｂの側縁部に、メイン係合長孔８０Ａ（本発明の「長孔」に相当する）を貫通形成してなる。ここで、メイン係合長孔８０Ａのうち第２回転軸体５２Ｊ寄りの端部を、以下「メイン係合長孔８０Ａの始端部」、第２回転軸体５２Ｊから離れた側の端部を、以下「メイン係合長孔８０Ａの終端部」ということとすると、メイン係合長孔８０Ａは、始端部から長手方向の中間位置までの第１区間８１が直線状に延び、その中間位置から終端部までの第２区間８２が湾曲して延びている。
【００５１】
より具体的には、図６に示すように、第２区間８２のメイン係合長孔８０Ａの湾曲形状は、第２演出部材５２が傾斜姿勢になったとき第１演出部材５１を中心とする円の一部になる円弧状をなし、その円弧の一端の接線方向に第１区間８１のメイン係合長孔８０Ａが延びている。そして、図８に示すように、メイン連結軸体９０Ａに前記したブッシュ９１が嵌合装着されて、そのブッシュ９１の筒体９１Ｔがメイン係合長孔８０Ａ内に嵌合している。
【００５２】
また、メイン連結軸体９０Ａのうちメイン係合長孔８０Ａ及びブッシュ９１を通過してそれらの前方に突出した部分には、樹脂ワッシャ９２が挿通されている。さらに、図９に示すように、メイン連結軸体９０Ａのうち樹脂ワッシャ９２より前方に突出した部分には、係止溝９０Ｍが形成されて、その係止溝９０ＭにＥリング９３が装着され、その樹脂ワッシャ９２とブッシュ９１のフランジ９１Ｆと（本発明に係る「１対のフランジ」に相当する）によりメイン係合長孔８０Ａの縁部が前後方向から挟まれている。そして、これらメイン連結軸体９０Ａ、ブッシュ９１、樹脂ワッシャ９２、Ｅリング９３とから本発明に係る「当接部」としてのガイドフォロア９０が構成され、このガイドフォロア９０とメイン係合長孔８０Ａとの係合によって、第１演出部材５１と第２演出部材５２とが連動回転するようになっている。
【００５３】
詳細には、図４に示すように、第１演出部材５１が第１始端位置に位置決めされて起立姿勢になったときには、その第１演出部材５１によって第２演出部材５２がその可動範囲における一端側の本発明に係る第２始端位置に位置決めされて垂下姿勢になり、第１演出部材５１の前方に第２演出部材５２が重なった状態になる。そして、第１演出部材５１が第１始端位置から第１終端位置側に向かって回動すると、メイン係合長孔８０Ａの第１区間８１が第１演出部材５１の第１回転軸体５１Ｊを中心とした円上（移動軌跡）からはずれた直線状に延びていることから、第１演出部材５１のガイドフォロア９０が第２演出部材５２のメイン係合長孔８０Ａにおける第１区間８１を移動してメイン係合長孔８０Ａの内面を押し、第２演出部材５２が第１演出部材５１に連動して回動する。このとき、メイン係合長孔８０Ａの第１区間８１をガイドフォロア９０がメイン係合長孔８０Ａの始端部から離れる側に移動する間は、第１演出部材５１は起立姿勢から下方に向かって回動する一方、第２演出部材５２は垂下姿勢から上方に向かって回動する。そして、ガイドフォロア９０がメイン係合長孔８０Ａにおける第１区間８１と第２区間８２との境界位置に到達すると、第２演出部材５２は第１演出部材５１によって本発明に係る第２終端位置に位置決めされて第２回転軸体５２Ｊから斜め右下に延びた下向きの傾斜姿勢になる一方、第１演出部材５１は、第１始端位置と第１終端位置との中間に位置して、第１演出部材５１から斜め右上に延びた上向きの傾斜姿勢になる。また、このときメイン係合長孔８０Ａの第２区間８２は、第１演出部材５１の回動中心を中心とした円上（移動軌跡）に位置した状態になる。これにより、ガイドフォロア９０がメイン係合長孔８０Ａにおける第２区間８２を終端部側に向かって移動する間は、第２演出部材５２は第２終端位置に上記した傾斜姿勢に保持（維持）される一方、第１演出部材５１はさらに姿勢を変更するように回動していく。
【００５４】
ガイドフォロア９０がメイン係合長孔８０Ａの終端部に至って第１演出部材５１が第１終端位置に位置決めされると、上記したように第１演出部材５１が横臥姿勢になる。また、第１演出部材５１が回動している間、第３演出部材５３は上記したように第１演出部材５１に連動して回動する。そして、第１演出部材５１が第１終端位置に至ったときには、図２に示すように、第１〜第３の演出部材５１，５２，５３（詳細には、それらの第１〜第３の装飾部材５１Ｋ，５２Ｋ，５３Ｋ）によって「兜」の側面形状が構成される。また、このとき、液晶画面１３Ｇには「人の横顔」が表示され、遊技者から見ると、液晶画面１３Ｇの「人の横顔」と第１〜第３の演出部材５１，５２，５３からなる「兜」とが合体し、「兜を被った人の横顔」として視認することができるようになる。
【００５５】
また、メイン係合長孔８０Ａの第２区間８２の略中央にガイドフォロア９０が位置すると、第１回転軸体５１Ｊの中心とガイドフォロア９０の中心とを結ぶ第１直線Ｓ１と、第２回転軸体５２Ｊの中心とガイドフォロア９０の中心とを結ぶ第２直線Ｓ２との交差角度が略直角になり、メイン係合長孔８０Ａの終端部に向かうに従って鋭角側に変化する（図６参照）。これにより、第２演出部材５２の自重のうち第１演出部材５１の第１回転軸体５１Ｊ側を向く力の成分を第１演出部材５１で受けることができ、第２演出部材５２の自重による駆動源６０Ｓへの負荷を軽減することができる。また、ガイドフォロア９０が、メイン係合長孔８０Ａの終端部に向かうに従って鋭角側に変化するように構成されているので、この点においても、第２演出部材５２の自重による駆動源６０Ｓへの負荷を軽減することができるようになっている。
【００５６】
本実施形態のパチンコ遊技機１０の構成に関する説明は以上である。次に、本実施形態のパチンコ遊技機１０の作用効果について説明する。図１に示したパチンコ遊技機１０の操作ノブ２８を操作すると、遊技領域Ｒ１の上端部に遊技球が次々と弾き出されて遊技領域Ｒ１を流下する。また、可動役物装置４０は、通常、遊技盤１１の後面のうち表示孔１１Ａの左側開口縁とメイン表示装置１３との間に収納され、図１に示すように遊技者から見えなくなっている。
【００５７】
遊技領域Ｒ１を流下する遊技球のうちのいくつかは、第１又は第２の始動入賞口１４Ａ，１４Ｂに入賞すると、所定数の遊技球（賞球）が上皿２６に払い出されると共に当否判定が行われ、その当否判定結果が液晶画面１３Ｇに表示される。即ち、液晶画面１３Ｇにおいて、３つの特別図柄１３Ａ，１３Ｂ，１３Ｃが、上下方向にスクロール表示された後、左、右、中の順番で特別図柄１３Ａ，１３Ｂ，１３Ｃが停止表示され、それら特別図柄１３Ａ，１３Ｂ，１３Ｃが同一であるか否かによって当否判定結果が報知される。
【００５８】
このとき、左右の特別図柄１３Ａ，１３Ｃが同じ図柄（例えば、「７」）で停止表示し、中特別図柄１３Ｂのみが変動表示したリーチ状態となることがある。そして、リーチ状態の後、外れになる場合には、リーチ状態中に液晶画面１３Ｇに兜を被った人の横顔が表示されて、例えば、表示された人物が戦で破れるリーチ演出が実行された後、中特別図柄１３Ｂが左右の特別図柄１３Ａ，１３Ｃと異なる図柄で停止してリーチ状態が終了する。
【００５９】
一方、当否判定結果がリーチ状態の後、大当りになる場合には、リーチ状態中に可動役物装置４０が作動する。具体的には、駆動源６０Ｓが起動して、図４から図５の変化に示すように、第１演出部材５１が起立姿勢から下方に回動すると共に、第２演出部材５２が垂下姿勢から右上方に回動し、さらに第３演出部材５３が右斜め下方に延びた傾斜姿勢から上方に回動して、表示孔１１Ａの左側開口縁から第１〜第３の演出部材５１〜５３の先端側が出現する。そして、図５に示すようにガイドフォロア９０がメイン係合長孔８０Ａにおける第１区間８１と第２区間８２との境界位置に到達するまで、第１〜第３の演出部材５１，５２，５３が連動して回動し続ける。ガイドフォロア９０が、前記境界位置を通過すると、第２演出部材５２が第２回転軸体５２Ｊから右斜め下方に延びた傾斜姿勢で停止したまま、第１演出部材５１及び第３演出部材５３のみがさらに姿勢を変更するように回動して、図５から図６の変化に示すように、姿勢が変化する。
【００６０】
そして、サブガイドフォロア９６が係合溝４２Ｍにおける下側ベースの外縁部側の端部に至ると共に、ガイドフォロア９０がメイン係合長孔８０Ａの終端部に至り、第１及び第３の演出部材５１，５３が共に横臥姿勢になる。このとき、図２に示すように、液晶画面１３Ｇには、「人の横顔」が表示されていて、第１〜第３の演出部材５１，５２，５３からなる「兜」と液晶画面１３Ｇの「人の横顔」とが合体し、「兜を被った人の横顔」が視認可能となる。そして、戦で勝利するリーチ演出が実行された後、中特別図柄１３Ｂが左右の特別図柄１３Ａ，１３Ｃと同じ図柄で停止して大当りとなる。当否判定結果の報知が終了すると、モータ６０が逆向きに作動し、第１〜第３の演出部材５１，５２，５３が表示孔１１Ａの左側開口縁に隠れた初期状態に戻る。
【００６１】
このように、本願発明のパチンコ遊技機１０によれば、第１演出部材５１と第２演出部材５２の両方を連動させる演出と、第２演出部材５２を停止（維持）させて第１演出部材５１のみを動作させる演出とを１つの駆動源６０Ｓにて行うことができると共に、第１演出部材５１及び第２演出部材５２の停止のタイミングをズラすことができる。これにより、本発明によれば、第１と第２の演出部材５１，５２の別々の動作を組み合わせた複雑な演出を１つの駆動源６０Ｓにて行うことができ、従来より駆動源の費用を抑えることができる。
【００６２】
また、本実施形態では、ガイドフォロア９０に対して２方向から当接し得る長孔構造としたので、第１演出部材５１によって第２演出部材５２の第２始端位置から第２終端位置への回転と、その逆方向への回転とが規制されると共に、第１演出部材５１に対する第２演出部材５２の第２回転軸体５２Ｊ方向への移動が規制されて、第１演出部材５１に対する第２演出部材５２の追従性を高めることができるようになっている。
【００６３】
［第２実施形態］
本実施形態を図１０に基づいて説明する。前記第１実施形態では、第１演出部材５１にガイドフォロア９０が備えられ、第２演出部材５２にガイドレール８０が設けられていたのに対し、本実施形態では、この構成が逆になっている。つまり、第１演出部材５１にガイドレール８０Ｖが備えられ、第２演出部材５２にガイドフォロア９０Ｖが設けられている。
【００６４】
具体的には、第２演出部材５２が第１演出部材５１より後方に配設され、図１０に示す第２回動本体部材５２Ｖにおける下端側の基端側辺部から突出した突片５２Ｓの先端部に、前方に向かって突出するメイン連結軸体９０Ｂが設けられている。
【００６５】
一方、ガイドレール８０Ｖは、第１回動本体部材５１Ｖの中央部分にメイン係合長孔８０Ｂを貫通形成してなる。メイン係合長孔８０Ｂは、図１０に示す状態で、直線状の第１区間８１Ｖが第２演出部材５２の先端側に配設される一方、円弧状の第２区間８２Ｖが第２演出部材５２の基端側に配設され、これら第１区間８１Ｖと第２区間８２Ｖとが屈曲した状態で延びている。
【００６６】
そして、メイン連結軸体９０Ｂにブッシュ９１が嵌合装着されて、そのブッシュ９１の筒体９１Ｔがメイン係合長孔８０Ｂに嵌合している。また、メイン連結軸体９０Ｂのメイン係合長孔８０Ｂ及びブッシュ９１を通過してそれらの前方に樹脂ワッシャ９２及びＥリング９３が装着され、これらメイン連結軸体９０Ｂ、ブッシュ９１、樹脂ワッシャ９２及びＥリング９３とから本発明に係るガイドフォロア９０Ｖが構成されている。
【００６７】
このような構成においても、第１演出部材５１と第２演出部材５２の両方を連動させる演出と、第２演出部材５２を停止（維持）させて第１演出部材５１のみを動作させる演出とを１つの駆動源６０Ｓにて行うことができ、前記第１実施形態と同様の効果を奏することができる。
【００６８】
なお、第２演出部材５２が、前記第１実施形態と同様に第１演出部材５１の前面側に配設された場合には、ガイドフォロア９０Ｖを後方に向かって突出させた構成とすればよい。
【００６９】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００７０】
（１）前記実施形態では、パチンコ遊技機１０に本発明を適用していたが、遊技機であれば、コイン遊技機やスロットマシン、アレンジボール等に備えてもよい。
【００７１】
（２）前記第１及び第２実施形態では、ガイドレール８０，８０Ｖが長孔形状をなし、ガイドフォロア９０，９０Ｖに対して２方向から当接する構成になっていたが、本願発明はこれに限るものではなく、ガイドレールを、ガイドフォロアに対して一方からのみ当接する面を備えた構成であってもよい。また、ガイドレール８０，８０Ｖは、長孔構造に限るものではなく、溝構造であってもよい。
【００７２】
（３）前記第１及び第２実施形態では、ガイドレール８０，８０Ｖの第１区間８１，８１Ｖが直線形状をなしていたが、曲線形状であってもよい。
【００７３】
（４）前記第１及び第２実施形態では、第２演出部材５２に加えて第３演出部５３が第１演出部材５１に連動する構成になっていたが、第３演出部材５３を備えない構成であってもよい。
【００７４】
（５）前記第１及び第２実施形態では、可動役物装置４０，４０Ｖが表示孔１１Ａにおける左側開口縁に設けられていたが、可動役物装置が、例えば、表示孔１１Ａの右側開口縁、上側開口縁又は下側開口縁に設けられた構成であってもよい。
なお、前記実施形態を概念化すると、以下の［１］〜［６］の発明となる。
［１］ベース部材に取り付けられて第１始端位置と第１終端位置との間を移動可能な第１演出部材と、前記ベース部材のうち前記第１演出部材と異なる位置に取り付けられて第２始端位置と第２終端位置との間を移動可能な第２演出部材とを、前記ベース部材に取り付けられた１つの駆動源で駆動して演出を行う遊技機であって、
前記第１演出部材と前記第２演出部材との何れか一方に設けられたガイド部と、他方に設けられて前記ガイド部に当接して移動する当接部とを備え、前記駆動源から前記第１演出部材に伝達された動力が、前記当接部を介して前記第１演出部材から前記第２演出部材に伝達されるように構成され、
前記ガイド部には、前記第１演出部材が前記第１始端位置から前記第１終端位置へ移動する間に前記第２演出部材を前記第２始端位置から前記第２終端位置まで移動させる第１区間と、前記第２演出部材を前記第２終端位置に保持したまま前記第１演出部材を前記第１終端位置まで移動させる第２区間とが備えられたことを特徴とする遊技機。
［２］前記ガイド部の前記第１区間は、前記第２演出部材が前記第２始端位置に位置した状態で、前記第１演出部材の移動方向と異なる方向に延びた形状をなす一方、前記ガイド部の前記第２区間は、前記第２演出部材が前記第２終端位置に位置した状態で、前記第１演出部材の移動方向と同方向に延びた形状をなしていることを特徴とする［１］に記載の遊技機。
［３］前記第１演出部材は、第１回転軸を中心に回転可能に前記ベース部材に取り付けられる一方、前記第２演出部材は、前記第１回転軸と異なりかつ前記第１回転軸と平行な第２回転軸を中心に回転可能に前記ベース部材に取り付けられ、
前記ガイド部の前記第１区間は、直線状又は曲線状をなし、
前記ガイド部の前記第２区間は、前記第１区間から連続し、前記第２演出部材が前記第２終端位置に位置した状態で前記第１回転軸を中心とした円弧状をなしていることを特徴とする［１］又は［２］に記載の遊技機。
［４］前記第１演出部材の回動中心と前記当接部とを結ぶ第１直線と、前記第２演出部材の回動中心と前記当接部とを結ぶ第２直線との交差角度は、前記当接部が前記ガイド部のうち前記第２区間を移動した際に略直角になり、前記当接部が前記ガイド部の第２区間側の端部に向かうに従って鋭角側に変化するように構成されたことを特徴とする［３］に記載の遊技機。
［５］前記ガイド部は、前記第１演出部材又は前記第２演出部材に備えた板部材に長孔を形成してなり、前記当接部は、前記第１演出部材又は前記第２演出部材に固定され、前記長孔に係合したピン構造をなしていることを特徴とする［１］乃至［４］の何れか１に記載の遊技機。
［６］前記当接部の軸方向における２位置から側方に張り出し、前記長孔の縁部を前記板部材の板厚方向で挟持した１対のフランジを備えたことを特徴とする［５］に記載の遊技機。
［１］の遊技機では、ベース部材に第１演出部材と第２演出部材とが取り付けられ、第１演出部材と第２演出部材とを連動させるために、第１演出部材と第２演出部材との何れか一方にガイド部が設けられると共に、そのガイド部に当接して移動する当接部が第１演出部材と第２演出部材との他方に設けられている。これにより、第１演出部材から第２演出部材に動力が伝達可能になり、駆動源にて第１演出部材を駆動し、その駆動源の動力で第２演出部材も駆動することが可能になる。また、ガイド部が第１区間と第２区間とに分かれていて、第１演出部材が第１始端位置から第１終端位置に移動する間に当接部がガイド部の第１区間を移動することで、第２演出部材が第１演出部材に連動して動作する一方、第１演出部材が第１終端位置まで移動する間に当接部がガイド部の第２区間を移動することで第１演出部材のみが動作し、第２演出部材を停止した状態に保持することができる。即ち、第１演出部材と第２演出部材の両方を連動させる演出と、第２演出部材を停止させて第１演出部材のみを動作させる演出とを１つの駆動源にて行うことができる。このように本発明によれば、第１と第２の演出部材の別々の動作を組み合わせた複雑な演出を１つの駆動源にて行うことができ、従来より駆動源の費用を抑えることができる。
［２］の発明によれば、ガイド部の第１区間を、第２演出部材が第２始端位置に位置した状態で第１演出部材の移動方向と異なる方向に延びた形状にすることで、第１演出部材が第１始端位置から第１終端位置に向かって移動したときに第１区間内の位置に応じて当接部の位置が変化し、第２演出部材を動作させることができる。また、ガイド部の第２区間を、第２演出部材が第２終端位置に位置した状態で第１演出部材の移動方向と同方向に延びた形状にすることで、第１演出部材が第１終端位置に向かって移動したときに第２区間内の何れの位置でも当接部が同じ位置に保持され、第２演出部材を停止させることができる。
［３］の発明によれば、第１演出部材を第１回転軸を中心に回転し、第２演出部材が第１回転軸と異なりかつ第１回転軸と平行な第２回転軸を中心に回転する場合には、ガイド部の第１区間を直線状又は曲線状とすることで、第１演出部材が第１始端位置から第１終端位置に移動したときに第１区間内の位置に応じて第２演出部材の位置が変化し、第２演出部材を動作させることができる。また、ガイド部の第２区間を、第２演出部材が第２終端位置に位置した状態で第１回転軸を中心とした円弧状とすることで、第１演出部材が第１終端位置に向かって移動したときに第２区間内の何れの位置でも第２演出部材が同じ位置に保持され、第２演出部材を停止させることができる。
［４］の発明によれば、第１演出部材の回動中心と当接部とを結ぶ第１直線と、第２演出部材の回動中心と当接部とを結ぶ第２直線との交差角度が、当接部が、ガイド部のうち第２区間に位置した状態で略直角になる。これにより、第２演出部材の自重のうち第１演出部材の回動中心側を向く力の成分を第１演出部材で受けることができ、第２演出部材の自重による駆動源への負荷を軽減することができる。また、当接部が、第２区間における反対側の端部に向かうに従って鋭角側に変化するように構成されているので、この点においても、第２演出部材の自重による駆動源への負荷を軽減することができる。
ガイド部を、当接部に対して一方からのみ当接する面を備えた構造としてもよいし、当接部に対して２方向から当接し得る溝構造や、長孔構造（［５］参照）にしてもよい。また、ガイド部を溝構造や長孔構造とすることで、第１演出部材によって第２演出部材の第２始端位置から第２終端位置への回転と、その逆方向への回転とが規制され、第１演出部材に対する第２演出部材の追従性が高まる。また、［６］の構成のように、ガイド部が長孔構造をなし、当接部を長孔に係合したピン構造にして、その当接部の軸方向における２位置から側方に張り出した１対のフランジで長孔の縁部を板部材の板厚方向で挟持した構造にすれば、第１演出部材に対する第２演出部材の回転軸方向への移動が規制され、第１演出部材に対する第２演出部材の追従性が高まる。
【符号の説明】
【００７５】
１０    パチンコ遊技機
４０，４０Ｖ    可動役物装置
４１    ベース連結体
５１    第１演出部材
５１Ｂ    第１回動本体部材
５１Ｊ    第１回転軸体
５２    第２演出部材
５２Ｂ    第２回動本体部材（板部材）
５２Ｊ    第２回転軸体
６０Ｓ    駆動源
７０Ａ，７０Ｂ，７０Ｃ    中継歯車
８０，８０Ｖ    ガイドレール（ガイド部）
８１，８１Ｖ    第１区間
８２，８２Ｖ    第２区間
９０，９０Ｖ    ガイドフォロア（当接部）
Ｓ１    第１直線
Ｓ２    第２直線
【図３】
0005419305.tif 000002
【図４】
0005419305.tif 000003
【図５】
0005419305.tif 000004
【図６】
0005419305.tif 000005
【図７】
0005419305.tif 000006
【図８】
0005419305.tif 000007
【図９】
0005419305.tif 000008
【図１０】
0005419305.tif 000009
【図１】
0005419305.tif 000010
【図２】
0005419305.tif 000011